(57)【要約】【課題】  奏鳴装置を参拝者に目立たないように設置するとともに、その設置が容易で、又電池交換したり万一奏鳴装置が故障した場合の修理も簡単にできる墓を提供する。【解決手段】  石製の墓本体１ａ及び１ｂの前に設けられ机の底板２、机の側板３、机の背板４、机の笠板５よって前側に開放する開口を有した物の収納空間が形成されるとともに物を載置可能な石製の机部の該収納空間の開口に扉６を設けるとともに、該収納空間内に目隠し板の前板７、目隠し板の側板８、目隠し板の底板９によって仕切りを設け、その仕切りの中に所定のメロディー等を奏でる奏鳴装置１０を設置する。【選択図】図３
2019019652.tif 000002
【特許請求の範囲】
【請求項１】
石製の墓本体と、該墓本体の前に設けられ前側に開放する開口を有した物の収納空間が形成されるとともに物を載置可能な石製の机部を備えた墓において、該机部の収納空間の開口を開閉する扉を設けるとともに、該収納空間内を目隠し板で仕切り、その仕切りの中に所定のメロディー等を奏でる奏鳴装置を設置したことを特徴とする墓。
【請求項２】
前記奏鳴装置のスイッチを前記目隠し板の外部に設置したことを特徴とする上記請求項１記載の墓。
【請求項３】
前記目隠し板及び前記奏鳴装置を前記机部から脱着可能にしたことを特徴とする上記請求項２記載の墓。
【請求項４】
前記奏鳴装置を電動モーターにより駆動するオルゴールにしたことを特徴とする上記請求項３記載の墓。
【発明の詳細な説明】
【技術分野】
【０００１】  本発明は、石製の墓本体の前に設けられ香炉等の物を入れる収納空間が形成されるとともに供物等の物を載置可能な収納ボックス型の石製の机部を備えた墓に関するものである。
【背景技術】
【０００２】  従来、この種の墓としては、例えば実用新案登録第３０１６２４０号公報（特許文献１）に掲載されたものが知られている。これは図５及び図６に示すように、墓本体１００に奏鳴装置１１０と奏鳴装置の電源１２０を備え、墓本体１００の前に収納空間が形成された机部２００を備えて構成している。
【先行技術文献】
【特許文献】
【０００３】
【特許文献１】実用新案登録第３０１６２４０号公報
【発明の概要】
【発明が解決しようとする課題】
【０００４】  ところで、上述した従来の墓においては、奏鳴装置を墓本体に設置するため作業が大がかりで、又、奏鳴装置が故障した場合の修理にも手間がかかってしまう。
本発明は上記の問題点に鑑みて為されたもので、奏鳴装置を参拝者に目立たないように設置するとともに、その設置が容易で、又、電池交換したり万一奏鳴装置が故障した場合の修理も簡単にできる墓を提供することを目的としたものである。
【課題を解決するための手段】
【０００５】  このような目的を達成するために、本発明の墓は、石製の墓本体と、該墓本体の前に設けられ前側に開放する開口を有した物の収納空間が形成されるとともに物を載置可能な石製の机部を備えた墓において、該机部の収納空間の開口を開閉する扉を設けるとともに、該収納空間内を目隠し板で仕切り、その仕切りの中に所定のメロディー等を奏でる奏鳴装置を設置したものである。
これにより、奏鳴装置は普段は閉じた扉の中にあるので目立たなく、また、たとえ扉を開けたとしても目隠し板に隠れているので、その存在を参拝者に気付かれることはない。また、奏鳴装置を墓本体に設置する場合に比べ、机部の扉を開いただけで容易に設置でき、電池交換したり万一奏鳴装置が故障した場合の修理も簡単である。
さらに、石製の机部の収納空間内は音響効果も大きく、扉を開けて収納空間内の香炉で焼香しながらメロディーが流れることで参拝者に対し心情的な安らぎを与えることができる。【０００６】  また、必要に応じ、上記奏鳴装置のスイッチを上記目隠し板の外部に設置した構成としている。
これにより奏鳴装置を作動させたり止めたりする操作をより便利な場所で行うことができる。【０００７】  そして、必要に応じ、上記目隠し板及び奏鳴装置を上記机部から脱着可能にした構成としている。
これにより、奏鳴装置を上記机部の収納空間から取り出し電池交換したり修理することができるので作業がより簡単になる。【０００８】  さらに、必要に応じ、上記奏鳴装置を電動モーターにより駆動するオルゴールにした構成としている。
これにより、上記奏鳴装置を電子部品にした場合と比べ電動モーターは故障が少ないので修理の頻度が少なくて済む。
【発明の効果】
【０００９】  本発明によれば、奏鳴装置は普段は閉じた扉の中にあるので目立たなく、また、たとえ扉を開けたとしても目隠し板に隠れているので、その存在を参拝者に気付かれることはない。また、奏鳴装置を墓本体に設置する場合に比べ、机部の扉を開いただけで容易に設置でき、電池交換したり万一奏鳴装置が故障した場合の修理も簡単である。
さらに、石製の机部の収納空間内は音響効果も大きく、扉を開けて収納空間内の香炉で焼香しながらメロディーが流れることで参拝者に対し心情的な安らぎを与えることができる。【００１０】  また、奏鳴装置のスイッチを目隠し板の外部に設置すれば奏鳴装置を作動させたり止めたりする操作をより便利な場所で行うことができる。【００１１】  そして、目隠し板及び奏鳴装置を机部から脱着可能にすれば、奏鳴装置を机部の収納空間から取り出し電池交換したり修理することができるので作業がより簡単になる。その場合、奏鳴装置を目隠し板に固定しておけば、奏鳴装置を目隠し板と一体で脱着できるから便利である。【００１２】  さらに奏鳴装置を電動モーターにより駆動するオルゴールにすれば、奏鳴装置を電子部品にした場合と比べ電動モーターは故障が少ないので修理の頻度が少なくて済む。
【図面の簡単な説明】
【００１３】
【図１】本発明の実施の形態に係る墓を示す斜視図である。
【図２】本発明の実施の形態に係る墓の机部の引き戸を開いた状態を示す斜視図である。
【図３】本発明の実施の形態に係る墓の机部の一部を分解した斜視図である。
【図４】本発明の実施の形態に係る墓の目隠し板と奏鳴装置を後方から見た斜視図である。
【発明を実施するための形態】
【００１４】  以下、添付図面に基づいて、本発明の実施の形態に係る墓について詳細に説明する。図１乃至図４に示すように、実施の形態に係る墓は、石製の墓本体の竿石１ａ及び墓本体の台石１ｂと、該墓本体１ａ及び１ｂの前面に机の底板２、机の側板３、机の背板４、机の笠板５によって前側に開放する開口を有した物の収納空間が形成されるとともに物を載置可能な石製の机部を備えている。尚、上記机の背板４は墓本体の台石１ｂの前面で兼用することができる。
上記机部の収納空間の開口には扉６が設けられているとともに、収納空間内は、目隠し板の前板７、目隠し板の側板８、目隠し板の底板９によって仕切られ、その仕切りの中に所定のメロディー等を奏でる奏鳴装置である電動モーターにより駆動するオルゴール１０が設置されている。上記目隠し板の前板７、側板８、底板９は互いに接着されているが、上記机部には接着されておらず、机部の収納空間から脱着可能である。
上記オルゴール１０は電動モーター１０ａ、モーターにより駆動するオルゴール１０ｂ、電源（電池）１０ｃ、電流を入り切りするスイッチ１０ｄを備えて構成しており、それぞれ、上記目隠し板の前板７及び底板９に接着され、該目隠し板と一体で上記机部の収納空間から脱着可能である。
又、上記机部の収納空間には、墓参りのとき線香をたくための香炉１１が設置されている。
【００１５】  墓参りするときは、先頭の者が墓の前に進み、扉６を開けるとともに、奏鳴装置であるオルゴールのスイッチ１０ｄを入れ、オルゴールのメロディーを流し、香炉１１に線香をあげ焼香する。続く参拝者はそのメロディーを聞きながら、次々と焼香をする。
墓参者全員の参拝が終わったら、上記先頭の者が再び墓の前に進み、スイッチを切り、メロディーを止め、扉を閉め、散会する。
【００１６】  尚、奏鳴装置の電池交換をしたり万一奏鳴装置が故障した場合は、目隠し板と一体で奏鳴装置を取り出すことができるので修理が容易である。また、奏鳴装置を電動モーターで駆動するオルゴールにすれば、奏鳴装置を電子部品にした場合と比べ電動モーターは故障が少ないので修理の頻度が少なくて済む。
【符号の説明】
【００１７】    １ａ  墓本体の竿石
１ｂ  墓本体の台石
２    机の底板
３    机の側板
４    机の背板
５    机の笠板
６    扉
７    目隠し板の前板
８    目隠し板の側板
９    目隠し板の底板
１０    奏鳴装置
１０ａ  電動モーター
１０ｂ  モーターにより駆動するオルゴール
１０ｃ  電源（電池）
１０ｄ  スイッチ
１１    香炉
【図１】
2019019652.tif 000003
【図２】
2019019652.tif 000004
【図３】
2019019652.tif 000005
【図４】
2019019652.tif 000006
【図５】
2019019652.tif 000007
【図６】
2019019652.tif 000008
【手続補正書】
【提出日】平成29年9月12日(2017.9.12)
【手続補正１】
【補正対象書類名】明細書
【補正対象項目名】００１３
【補正方法】変更
【補正の内容】
【００１３】
【図１】本発明の実施の形態に係る墓を示す斜視図である。
【図２】本発明の実施の形態に係る墓の机部の引き戸を開いた状態を示す斜視図である。
【図３】本発明の実施の形態に係る墓の机部の一部を分解した斜視図である。
【図４】本発明の実施の形態に係る墓の目隠し板と奏鳴装置を後方から見た斜視図である。
【図５】従来の墓の例を示す斜視図である。
【図６】従来の墓の例を示す側面の断面図である。